(57)【要約】      （修正有）【課題】石突きを下にして傘を立てようとした場合、手で支えていないと傘が倒れてしまうという不都合を解決するとともに自立する傘と傘保持具を提供する。【解決手段】傘保持具（１７）に挟持部を設け自立させたい傘の石突きを傘保持具（１７）の挟持部に挟んで傘を自立させることができる。【選択図】図２
2017086717.tif 000002
【特許請求の範囲】
【請求項１】
傘の石突きに挟んで装着することで傘を自立させる傘保持具（１７）
の一部にバネ（４）及び前記バネに連動して動く挟持部（５）及び支脚（７）を設け、
前記バネ（４）の力により、傘の石突きを挟持部（５）で挟み、傘保持具（１７）の
支脚（７）で傘を自立させることを特徴とする傘保持具
【請求項２】
傘保持具の一部に複数の支脚と把持部寄り面（１４）の支脚同士をより合わせる
ことで支軸（３）を支点にバネの力で閉じている挟側寄り面の支脚が連動して
開くことで広がる挟持部（５）を設け、傘の石突きを挟持部（５）に
置いて把持部寄り面（１４）の支脚を戻すことで傘の石突きを挟持部（５）で
挟んで保持し、傘保持具（１７）に設けた支脚（７）により、挟持部で石突きを
保持している傘を支えて立たせることを特徴とする傘保持具
【請求項３】
請求項１〜４のいずれかに記載の傘保持具において
挟側寄り面（１３）の支脚（６０）と支脚（６１）の一部分が交差できるように凹凸
型の係合溝部（１）と凹凸型の係合突起部（２）を支脚（６０）と支脚（６１）の
一部に施し挟持部（５）にある空間部（２３）が支脚（６０）と支脚（６１）の交差により
更に狭められるようにしたことを特徴とする傘保持具
【請求項４】
請求項１〜７のいずれかに記載の傘保持具において
傘保持具の一部に設けたバネをCバネ又はねじりバネ又は弾性体としてもよいことを
特徴とする傘保持具
【請求項５】
傘保持具の一部に複数の支脚（４５）と把持部（４０）を寄り合わせる
ことで支軸（４１）を支点にバネの力で閉じている挟持寄り面の支脚が連動して
開くことで広がる挟持部（４２）と傘保持具の挟持部で挟む傘の石突きの角度に応じて
挟持部（４２）の角度を調節する角度調節部（４３）を設け、傘の石突きを
挟持部（４２）に置いて把持部（４０）を戻すことで傘の石突きを
挟持部（４２）で保持し、傘保持具（４４）に設けた支脚部（４５）により挟持部で
石突きを保持している傘を支えて立たせて保持することを特徴とする傘保持具
【請求項６】
請求項１〜２のいずれかに記載の傘保持具において
挟持部（５）を傘の手元（１９）又は傘の中棒（５０）に装着することで支脚（７）
を傘のフックとして使えるように支脚（７）をフックの形状にしたことでフックの機能
を更に備えたことを特徴とする傘保持具
【請求項７】
請求項１〜３のいずれかに記載の傘保持具において
挟持部（５）の内側に更にすべり止め素材（１５）で加工したことを
特徴とする傘保持具
【請求項８】
請求項１〜５のいずれかに記載の傘保持具において
挟持部（５）の内側に数字番号を割り振った色付きの
ライン線を引いてあることを特徴とする傘保持具
【請求項９】
請求項１〜６のいずれかに記載の傘保持具において
複数の支脚（７）を設けたことを特徴とする傘保持具
【請求項１０】
請求項１〜８のいずれかに記載の傘保持具において
傘保持具を杖の石突きに装着することで杖も立たせることができる杖立てとして利用
することができるようにしたことを特徴とする傘保持具
【発明の詳細な説明】
【技術分野】
【０００１】
本発明は、傘保持具に関するものであり
傘の石突きに脱着可能な傘保持具を装着することで傘を自立させることができる
ようにしたものであり、また傘保持具を持ち手に付け替えることで
傘を折りたたみ時には傘掛けフックとしても利用できるようにしたものである。
【発明の開示】
【発明が解決しようとする課題】
【０００２】
従来のような傘では、自立させることができず、手でもっていないと傘が倒れてしまい
不便である。本発明は、傘を手で持たなくても自立した状態を保持できる
ようにし、地面に置いた傘が倒れてしまうという不都合を解決することを課題とする
【課題を解決するための手段】
【０００３】
請求項１に記載の発明は
傘の石突きに挟んで装着することで傘を自立させる傘保持具（１７）
の一部にバネ（４）及び前記バネに連動して動く挟持部（５）及び支脚（７）を設け、
前記バネ（４）の力により、傘の石突きを挟持部（５）で挟み、傘保持具（１７）の
支脚（７）で傘を自立させることを特徴とする傘保持具である。
これにより石突きの太さが異なる傘でも傘保持具の挟持部で傘の石突きを挟み
傘保持具の支脚により、挟んだ傘を自立させることができる。
【０００４】
請求項２に記載の発明は
傘保持具の一部に複数の支脚と把持部寄り面（１４）の支脚同士をより合わせる
ことで支軸（３）を支点にバネの力で閉じている挟側寄り面の支脚が連動して
開くことで広がる挟持部（５）を設け、傘の石突きを挟持部（５）に
置いて把持部寄り面（１４）の支脚を戻すことで傘の石突きを挟持部（５）で
挟んで保持し、傘保持具（１７）に設けた支脚（７）により、挟持部で石突きを
保持している傘を支えて立たせることを特徴とする傘保持具である。
これにより石突きの太さが異なる傘でも傘保持具を装着することで傘を立たせる
ことができる。
【０００５】
請求項３に記載の発明は
請求項１〜４のいずれかに記載の傘保持具において
挟側寄り面（１３）の支脚（６０）と支脚（６１）の一部分が交差できるように
凹凸型の係合溝部（１）と凹凸型の係合突起部（２）を支脚（６０）と支脚（６１）の
一部に施し挟持部（５）にある空間部（２３）が支脚（６０）と支脚（６１）の
交差により更に狭められるようにしたことを特徴とする傘保持具である。
これにより傘保持部の挟側の支脚同士が交差することで、より挟持部が狭まることで、
挟持部で細い石突きを挟むことができる。
【０００６】
請求項４に記載の発明は
請求項１〜７のいずれかに記載の傘保持具において
傘保持具の一部に設けたバネをCバネ又はねじりバネ又は弾性体としてもよいことを
特徴とする傘保持具である
これにより傘保持具の保持力を高めることにつながる。
【０００７】
請求項５に記載の発明は
傘保持具の一部に複数の支脚（４５）と把持部（４０）を寄り合わせる
ことで支軸（４１）を支点にバネの力で閉じている挟持寄り面の支脚が連動して
開くことで広がる挟持部（４２）と傘保持具の挟持部で挟む傘の石突きの角度に応じて
挟持部（４２）の角度を調節する角度調節部（４３）を設け、傘の石突きを
挟持部（４２）に置いて把持部（４０）を戻すことで傘の石突きを
挟持部（４２）で保持し、傘保持具（４４）に設けた支脚部（４５）により挟持部で
石突きを保持している傘を支えて立たせて保持することを特徴とする傘保持具である。
これにより角度のある石突きを備えた傘でも石突きの角度にあわせて傘保持具の
挟持部で挟むことができるようになる。
【０００８】
請求項６に記載の発明は
請求項１〜２のいずれかに記載の傘保持具において
挟持部（５）を傘の手元（１９）又は傘の中棒（５０）に装着することで支脚
（７）を傘のフックとして使えるように支脚（７）をフックの形状にしたことでフック
の機能を更に備えたことを特徴とする傘保持具である。
これにより傘にフックが無くても傘保持具で傘の手元や中棒に付け替えて傘保持具の
挟持部で手元や中棒を挟むことで傘のフックとして傘保持具を利用することができる。
【０００９】
請求項７に記載の発明は
請求項１〜３のいずれかに記載の傘保持具において
挟持部（５）の内側に更にすべり止め素材（１５）で加工したことを
特徴とする傘保持具である。
これにより傘保持具で傘の石突きを挟んで保持する時に、挟持部の内側に設けた
すべり止め素材により、挟持部から石突きがすべり外れるのを防ぐことができる。
【００１０】
請求項８に記載の発明は
請求項１〜５のいずれかに記載の傘保持具において挟持部（５）の内側に数字
番号を割り振った色付きのライン線を引いてあることを特徴とする傘保持具である。
これにより傘保持具に傘の石突きを挟むときに、傘保持具の挟持部に設けたラインを
目印にして線に合わせて傘を挟むことで真直ぐに傘を立てることができる。
【００１１】
請求項９に記載の発明は
請求項１〜６のいずれかに記載の傘保持具において
複数の支脚（７）を設けたことを特徴とする傘保持具である
これにより、傘保持具の安定感をさらに高めることができる。
【００１２】
請求項１０に記載の発明は
請求項１〜８のいずれかに記載の傘保持具において
傘保持具を杖の石突きに装着することで杖も立たせることができる杖立てとして利用
することができるようにしたことを特徴とする傘保持具である
これにより杖を傘保持具で保持させて立たせて置くことができる
【発明の効果】
【００１３】
本発明により、傘の石突き側を下にして立たせて地面に置いた場合に、傘が
倒れてしまうという不都合は起きず、傘を立てて置く事ができる。
【発明を実施するための形態】
【００１４】
以下、本発明の実施の形態を説明する
[実施形態１]
本発明の傘保持具の構成は
傘保持具（１７）の一部にバネとバネの力により挟んで保持する
挟持部（５）と前記バネと挟持部（５）の動きを操作できる
把持部（１２）と保持した傘のバランスを支える複数の支脚（７）を設ける。
本発明の傘保持具を使用する場合は、
傘保持具（１７）の把持部（１２）を押し合わせることによりバネの力で閉じている
挟側寄り面（１３）の支脚（６０）と支脚（６１）の間が開き挟持部（５）の空間部
（２３）が広がる。空間部（２３）に自立させたい傘の石突き（１８）を入れる。
傘保持具（１７）の把持部（１２）を元に戻すことにより傘保持具（１７）の
挟持部（５）で傘の石突き（１８）が保持される
傘保持具（１７）に保持している傘の石突き（１８）を下にして傘を立てる時に傘保持
具（１７）の支脚（７）により傘のバランスが保たれ傘を自立させることができる。
又、傘（２０）を持ち上げた時に傘（２０）と傘保持具（１７）が外れ落ちる心配も
無く、傘保持具（１７）の把持部（１２）を押し合わせることにより傘（２０）の
付け外しも容易である。
【００１５】
[実施形態２]
本発明の傘保持具の構成は
傘保持具（４４）の一部にバネとバネの力により挟んで保持する
挟持部（４２）と前記バネと挟持部（４２）の動きを操作できる
把持部（４０）と保持部（４２）の角度を調節する角度調節部（４３）と保持部で
保持した傘のバランスを支える複数の支脚（４５）を設ける。
本発明の傘保持具を使用する場合は、
傘保持具（４４）の把持部（４０）を押し合わせることによりバネの力で閉じている
挟側寄り面（４７）の支脚と支脚の間が開き挟持部（４２）の空間部
（５０）が広がる。空間部（５０）に自立させたい傘の石突き（１８）を入れる。
傘保持具（４４）の把持部（４０）を元に戻すことにより傘保持具（４４）の
挟持部（４２）で傘の石突き（１８）が保持されると同時に前記バネの戻る力により、
挟持部（４２）にセットした傘の石突き（１８）の角度にあわせて角度調節部が
挟持部の角度を石突きにあわせて保持する
傘保持具（４４）に保持している傘の石突き（１８）を下にして傘を立てる時に傘保持
具（４４）の支脚（４５）により傘のバランスが保たれ傘を自立させることができる。
又、傘（２０）を持ち上げた時に傘（２０）と傘保持具（４４）が外れ落ちる心配も
無く、傘保持具（４４）の把持部（４０）を押し合わせることにより傘（２０）の
付け外しも容易である。
【図面の簡単な説明】
【００１６】
【図１】実施形態１の傘保持具の図（A−１）ねじりバネを使用し挟持部が閉じた状態の傘保持具の正面図（A−２）Ｃ字型バネを使用し挟持部が閉じた状態の傘保持具の正面図（A−３）Ｃ字型バネを使用し挟持部が開いた状態の傘保持具の正面図
【図２】実施形態１の傘保持具の図（B−１）Ｃ字型バネを使用し挟持部が開いた状態の傘保持具の正面図（B−２）Ｃ字型バネを使用し挟持部が閉じた状態の挟側寄り面の側から見た傘保持具の斜視図（B−３）Ｃ字型バネを使用し挟持部が開いた状態の挟側寄り面の側から見た傘保持具の斜視図
【図３】実施形態１の傘保持具の図（C−１）ねじりバネを使用し挟持部が閉じた状態の把持部寄り面側から見た傘保持部の斜視図（C−２）Ｃ字型バネを使用し挟持部が閉じた状態の把持部寄り面側から見た傘保持部の斜視図（C−３）傘保持具の挟持部で傘の石突きを保持している斜視図
【図４】実施形態１の傘保持具の図（D−１）傘保持具のＡ―Ａの断面図（D−２）傘保持具の挟持部で傘の石突きを保持している正面図
【図５】実施形態１の傘保持具の図（E−１）傘保持具により傘を自立させている正面図（E−２）傘保持具を傘のフックとして利用している正面図
【図６】実施形態１の傘保持具の図（F−１）C字型バネを使用した傘保持具の分解斜視図（F−２）ねじりバネを使用した傘保持具の分解斜視図
【図７】実施形態２の傘保持具の斜視図
【図８】実施形態２の傘保持具の分解斜視図
【図９】実施形態２の傘保持具の図（G−１）傘保持具のA−Aの断面図（G―２）傘保持具の平面図
【図１０】実施形態２の傘保持具により傘を自立させている斜視図
【符号の説明】
【００１７】
１    凹凸型の係合溝部
２    凹凸型の係合突起部
３    支軸
４    バネ
５    挟持部
６    ストラップ用の穴
７    支脚
８    フック
９    バネが移動するための開口部
１０  傾き確認色付き線
１１  ラインナンバー
１２  把持部
１３  挟側寄り面
１４  把持部寄り面
１５  すべり止め素材
１６  バネ固定部
１７  傘保持具
１８  石突き
１９  手元（ハンドル）
２０  傘
２１  ストラップ
２２  色目印枠
２３  空間部
３５  バネ固定部
５０  中棒（シャフト）
５１  空間部
６０  支脚
６１  支脚
４０  把持部
４１  支軸
４２  挟持部
４３  角度調節部
４４  傘保持具
４５  支脚
４６  角度調節ピン
４７  挟側寄り面
５０  空間部
５１  バネ
５２  バネ固定部
５３  すべり止め素材
【図１】
2017086717.tif 000003
【図２】
2017086717.tif 000004
【図３】
2017086717.tif 000005
【図４】
2017086717.tif 000006
【図５】
2017086717.tif 000007
【図６】
2017086717.tif 000008
【図７】
2017086717.tif 000009
【図８】
2017086717.tif 000010
【図９】
2017086717.tif 000011
【図１０】
2017086717.tif 000012